(57)【要約】【課題】各種電子機器に使用される開閉装置に関し、小音化が図れ、良好な操作が可能なものを提供することを目的とする。【解決手段】ケース１５に可動体１３外周の突起部１３Ａが挿入され、可動体１３を軸線方向へ移動可能に保持するガイド溝部１５Ａを設けると共に、このガイド溝部１５Ａに溝内方へ延出する折曲部１５Ｂを形成することによって、開閉操作途中の、可動カム１４先端が固定カム２の突出部２Ａに弾接する前後には、可動体１３の突起部１３Ａの端部がガイド溝部１５Ａの折曲部１５Ｂに当接し、この折曲部１５Ｂにガイドされて突起部１３Ａがガイド溝部１５Ａに当接するため、突起部１３Ａとガイド溝部１５Ａの衝突音を防ぎ、開閉操作時の小音化が図れ、良好な操作が可能な開閉装置を得ることができる。【選択図】図１
2008267470.tif 000002
【特許請求の範囲】
【請求項１】
端面に固定カムが設けられた固定体と、この固定体に対し回転可能に配置されると共に、上記固定カムとの対向面に可動カムが設けられた可動体と、これらを収納した略円筒状のケースからなり、上記ケースに上記可動体外周の突起部が挿入され、上記可動体を軸線方向へ移動可能に保持するガイド溝部を設けると共に、このガイド溝部に溝内方へ延出する折曲部を形成した開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、確実で良好な開閉操作を行なえるものが求められている。
【０００３】
このような従来の開閉装置について、図６〜図９を用いて説明する。
【０００４】
なお、これらの図面の内、断面図等は固定カムと可動カムの関係を判り易くするため、径方向を拡大して表わしている。
【０００５】
図７は従来の開閉装置の断面図、図８は同分解斜視図であり、同図において、１は左端面に固定部１Ａが形成された略円筒状で金属製の固定体で、この右端面外周には、突出部２Ａ、及びこの突出部２Ａから上下へ延出する二つの傾斜部２Ｂ、２Ｃから形成された、一対の固定カム２が設けられている。
【０００６】
また、３は同じく略円筒状で金属製の可動体で、固定体１に対し開閉方向へ回転可能に、かつ軸線方向へ移動可能に配置されると共に、固定カム２との対向面である左端面外周には一対の可動カム４が設けられている。
【０００７】
そして、５は略円筒状で金属製のケースで、左端の開口部から固定体１の固定部１Ａが回転可能に突出すると共に、外周に突出したガイド溝部５Ａには、可動体３外周の突起部３Ａが挿入され、可動体３が軸線方向へ移動可能にケース５内に収納されている。
【０００８】
さらに、６はコイル状のばねで、可動体３右端面とケース５内側面の間に、ばね６がやや撓んだ状態で装着され、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、固定軸７の右端部は可動体３の中空部やばね６を挿通し、止め輪８によって、ケース５外側面に回転可能に装着されて、開閉装置１０が構成されている。
【００１０】
そして、このように構成された開閉装置１０が、例えば、図６の携帯電話の斜視図に示すように、固定体１の固定部１Ａが上面に複数のキーからなる操作部１１Ａやマイクロフォン等の音声入力部１１Ｂが形成された固定筐体１１へ、ケース５のガイド溝部５Ａ外周が、表面に液晶表示素子等の表示部１２Ａやスピーカ等の音声出力部１２Ｂが形成された可動筐体１２へ各々固着され、開閉装置１０によって固定筐体１１に対して可動筐体１２が開閉可能に軸支されて電子機器が構成される。
【００１１】
以上の構成において、図７や図９（ａ）の部分平面図に示すように、可動カム４の先端が固定カム２下側の傾斜部２Ｂへ弾接した状態では、可動体３がばね６によって下方向の閉方向へ付勢されているため、ケース５が装着された可動筐体１２は、固定筐体１１に対して閉じた状態で保持されている。
【００１２】
そして、この閉状態から、可動筐体１２を手で開くと、可動筐体１２にガイド溝部５Ａが装着固定されたケース５が回転し、可動体３がケース５内を右方向の軸線方向へ回転しながら移動して、図９（ｂ）に示すように、可動カム４先端が固定カム２の突出部２Ａを超えて、図９（ｃ）に示すように上側の傾斜部２Ｃへ弾接すると、可動体３が開方向へ付勢されるため、この力によって可動筐体１２に開く方向の力が加わり、可動筐体１２が固定筐体１１に対して所定角度に開いた状態となる。
【００１３】
つまり、可動筐体１２に装着されたケース５を回転させることによって、ばね６に付勢された可動体３を軸線方向へ移動させ、可動カム４先端を固定カム２の傾斜部２Ｂまたは２Ｃのいずれかへ弾接させて、固定筐体１１に対する可動筐体１２の開閉操作が行われるように構成されている。
【００１４】
なお、以上のような開閉装置１０において、可動体３外周の突起部３Ａと、これが挿入されたケース５のガイド溝部５Ａとの間には、可動体３が軸線方向へ移動可能なように、僅かではあるが隙間が設けられており、可動カム４の先端が固定カム２下側の傾斜部２Ｂへ弾接した状態では、図９（ａ）に示すように、可動体３がばね６によって下方向の閉方向へ付勢されているため、外周の突起部３Ａ下端がガイド溝部５Ａ下端に弾接し、突起部３Ａ上端とガイド溝部５Ａ上端との間には隙間が空いている。
【００１５】
そして、ケース５が回転し、可動体３がケース５内を右方向の軸線方向へ回転しながら移動して、図９（ｂ）に示すように、可動カム４先端が固定カム２の突出部２Ａに弾接するまでは、この状態が続くが、図９（ｃ）に示すように、可動カム４先端が突出部２Ａを超え、固定カム２上側の傾斜部２Ｃへ弾接した状態になると、可動体３がばね６によって開方向の上方向へ付勢されるため、突起部３Ａ上端はガイド溝部５Ａ上端に弾接する。
【００１６】
また、可動筐体１２を閉じる際にも、上記とは逆に、可動カム４先端が固定カム２の突出部２Ａを超えた直後には、突起部３Ａ下端がガイド溝部５Ａ下端に弾接するため、これらによって衝突音が発生する。
【００１７】
つまり、可動筐体１２を開閉操作する際、その途中の、可動カム４先端が固定カム２の突出部２Ａを超えた直後には、ばね６による可動体３の付勢方向が反転することによって、突起部３Ａがガイド溝部５Ａに衝突し、衝突音が発生してしまうものであった。
【００１８】
なお、この出願の発明に関連する先行技術文献情報としては、例えば、特許文献１が知られている。
【特許文献１】特開２００４−３３２８６１号公報
【発明の開示】
【発明が解決しようとする課題】
【００１９】
しかしながら、上記従来の開閉装置においては、可動筐体１２を開閉操作する際、その途中の、可動カム４先端が固定カム２の突出部２Ａを超えた直後に、突起部３Ａがガイド溝部５Ａに衝突して衝突音が発生するため、特に、可動体３やケース５が金属製のものの場合には、この衝突音が可動筐体１２で反響して、大きな異音が生じてしまうという課題があった。
【００２０】
本発明は、このような従来の課題を解決するものであり、開閉操作時の小音化が図れ、良好な操作が可能な開閉装置を提供することを目的とする。
【課題を解決するための手段】
【００２１】
上記目的を達成するために本発明は、ケースに可動体外周の突起部が挿入され、可動体を軸線方向へ移動可能に保持するガイド溝部を設けると共に、このガイド溝部に溝内方へ延出する折曲部を形成して開閉装置を構成したものであり、開閉操作途中の、可動カム先端が固定カムの突出部に弾接する前後には、可動体の突起部の端部がガイド溝部の折曲部に当接し、この折曲部にガイドされて突起部がガイド溝部に当接するため、突起部とガイド溝部の衝突音を防ぎ、開閉操作時の小音化が図れ、良好な操作が可能な開閉装置を得ることができるという作用を有するものである。
【発明の効果】
【００２２】
以上のように本発明によれば、小音化が図れ、良好な操作が可能な開閉装置を実現することができるという有利な効果が得られる。
【発明を実施するための最良の形態】
【００２３】
以下、本発明の実施の形態について、図１〜図６を用いて説明する。
【００２４】
なお、これらの図面の内、断面図等は固定カムと可動カムの関係を判り易くするため、径方向を拡大して表わしている。
【００２５】
また、背景技術の項で説明した構成と同一構成の部分には同一符号を付して、詳細な説明を簡略化する。
【００２６】
（実施の形態）
図１は本発明の一実施の形態による開閉装置の断面図、図２は同分解斜視図であり、同図において、１は左端面に固定部１Ａが形成された略円筒状で鋼や銅合金、焼結合金、或いは合成樹脂等の固定体で、この右端面外周には、突出部２Ａ、及びこの突出部２Ａから上下へ延出する二つの傾斜部２Ｂ、２Ｃから形成された、一対の固定カム２が設けられている。
【００２７】
そして、１３は同じく略円筒状で鋼や銅合金、焼結合金、或いは合成樹脂等の可動体で、固定体１に対し開閉方向へ回転可能に、かつ軸線方向へ移動可能に配置されると共に、固定カム２との対向面である左端面外周には一対の可動カム１４が設けられている。
【００２８】
また、１５は略円筒状で鋼や銅合金、焼結合金、或いは合成樹脂等のケースで、左端の開口部から固定体１の固定部１Ａが回転可能に突出すると共に、外周に突出した一対のガイド溝部１５Ａには、可動体１３外周の一対の突起部１３Ａが挿入され、可動体１３が軸線方向へ移動可能にケース１５内に収納されている。
【００２９】
さらに、ケース１５のガイド溝部１５Ａには、図３の要部斜視図に示すように、ガイド溝部１５Ａの上端と下端が折曲され、溝内方へ延出する一対の折曲部１５Ｂと、この上下に通孔部１５Ｃが形成されると共に、可動体１３の突起部１３Ａ右端の上下面には傾斜部１３Ｂが設けられている。
【００３０】
そして、６はコイル状で銅や鋼線製のばねで、可動体１３右端面とケース１５内側面の間に、ばね６がやや撓んだ状態で装着され、このばね６によって可動体１３が左方向へ付勢され、可動カム１４の先端が固定カム２の傾斜部２Ｂへ弾接している。
【００３１】
また、７は略円柱状で鋼や銅合金、焼結合金、或いは合成樹脂等の固定軸で、この固定軸７の左端部に固定体１が固着されると共に、固定軸７の右端部は可動体１３の中空部やばね６を挿通し、止め輪８によって、ケース１５外側面に回転可能に装着されて、開閉装置２０が構成されている。
【００３２】
そして、このように構成された開閉装置２０が、例えば、図６の携帯電話の斜視図に示すように、固定体１の固定部１Ａが上面に複数のキーからなる操作部１１Ａやマイクロフォン等の音声入力部１１Ｂが形成された固定筐体１１へ、ケース１５のガイド溝部１５Ａ外周が、表面に液晶表示素子等の表示部１２Ａやスピーカ等の音声出力部１２Ｂが形成された可動筐体１２へ各々固着され、開閉装置２０によって固定筐体１１に対して可動筐体１２が開閉可能に軸支されて電子機器が構成される。
【００３３】
以上の構成において、図１や図４（ａ）の部分平面図に示すように、可動カム１４の先端が固定カム２下側の傾斜部２Ｂへ弾接した状態では、可動体１３がばね６によって下方向の閉方向へ付勢されているため、ケース１５が装着された可動筐体１２は、固定筐体１１に対して閉じた状態で保持されている。
【００３４】
そして、この閉状態から、可動筐体１２を手で開くと、可動筐体１２にガイド溝部１５Ａが装着固定されたケース１５が回転し、可動体１３がケース１５内を右方向の軸線方向へ回転しながら移動して、図４（ｂ）に示すように、可動カム１４先端が固定カム２の突出部２Ａを超えて、図４（ｃ）に示すように上側の傾斜部２Ｃへ弾接すると、可動体１３が開方向へ付勢されるため、この力によって可動筐体１２に開く方向の力が加わり、可動筐体１２が固定筐体１１に対して所定角度に開いた状態となる。
【００３５】
つまり、可動筐体１２に装着されたケース１５を回転させることによって、ばね６に付勢された可動体１３を軸線方向へ移動させ、可動カム１４先端を固定カム２の傾斜部２Ｂまたは２Ｃのいずれかへ弾接させて、固定筐体１１に対する可動筐体１２の開閉操作が行われるように構成されている。
【００３６】
なお、以上のような開閉装置２０において、可動体１３外周の突起部１３Ａと、これが挿入されたケース１５のガイド溝部１５Ａとの間には、可動体１３が軸線方向へ移動可能なように、僅かではあるが隙間が設けられており、可動カム１４の先端が固定カム２下側の傾斜部２Ｂへ弾接した状態では、図４（ａ）に示すように、可動体１３がばね６によって下方向の閉方向へ付勢されているため、外周の突起部１３Ａ下端がガイド溝部１５Ａ下端に弾接し、突起部１３Ａ上端とガイド溝部１５Ａ上端との間には隙間が空いている。
【００３７】
また、この状態からケース１５が上方向へ回転すると、図４（ｂ）に示すように、可動体１３がケース１５内を右方向の軸線方向へ回転しながら移動するが、可動体１３がある程度右方向へ移動した後は、突起部１３Ａ右端の傾斜部１３Ｂ下端が、ガイド溝部１５Ａ内方へ延出した下方の折曲部１５Ｂの傾斜面に当接し、この折曲部１５Ｂの傾斜面にガイドされながら、ガイド溝部１５Ａの中心方向へ回転する。
【００３８】
そして、可動カム１４先端が固定カム２の突出部２Ａに弾接した状態では、突起部１３Ａ右端の上下端が上下の折曲部１５Ｂの傾斜面に当接すると共に、可動カム１４先端が突出部２Ａを超えた直後には、突起部１３Ａ右端の上端が上方の折曲部１５Ｂの傾斜面に当接し、この折曲部１５Ｂにガイドされながら上方へ回転した後、図４（ｃ）に示すように、可動カム１４先端が固定カム２上側の傾斜部２Ｃへ弾接し、突起部１３Ａ上端がガイド溝部１５Ａ上端に弾接した状態となる。
【００３９】
また、可動筐体１２を閉じる際にも、上記とは逆に、突起部１３Ａ右端の上端が上方の折曲部１５Ｂの傾斜面に当接しガイドされながら下方へ回転し、可動カム１４先端が突出部２Ａを超えた後は、突起部１３Ａ右端の下端が下方の折曲部１５Ｂに当接しガイドされながら、可動体１３の回転や移動が行なわれる。
【００４０】
つまり、可動筐体１２を開閉操作する際、その途中の、可動カム１４先端が固定カム２の突出部２Ａを超え、ばね６により可動体１３の付勢方向が反転する前後には、突起部１３Ａ右端の上下端が、ガイド溝部１５Ａ上下の折曲部１５Ｂの傾斜面に当接し、この折曲部１５Ｂにガイドされて突起部１３Ａの上下端がガイド溝部１５Ａの上下端に当接するように構成されている。
【００４１】
すなわち、可動カム１４先端が固定カム２の突出部２Ａを超え、可動体１３に上または下方向の付勢力がはたらいた直後には、突起部１３Ａ右端が折曲部１５Ｂの傾斜面に当接し、この折曲部１５Ｂにガイドされて可動体１３が回転や移動を行なうことによって、突起部１３Ａの上下端がガイド溝部１５Ａの上下端に当接する際の衝撃を緩衝し、衝突音が生じないようになっている。
【００４２】
さらに、折曲部１５Ｂの上下には、図３に示したように、通孔部１５Ｃが設けられ、折曲部１５Ｂが上下方向に多少は弾性変形可能なように形成されているため、突起部１３Ａ右端が折曲部１５Ｂの傾斜面に当接した際に、折曲部１５Ｂが撓むことによって、さらに衝撃を緩衝し小音化を図ることができるようになっている。
【００４３】
このように本実施の形態によれば、ケース１５に可動体１３外周の突起部１３Ａが挿入され、可動体１３を軸線方向へ移動可能に保持するガイド溝部１５Ａを設けると共に、このガイド溝部１５Ａに溝内方へ延出する折曲部１５Ｂを形成することによって、開閉操作途中の、可動カム１４先端が固定カム２の突出部２Ａに弾接する前後には、可動体１３の突起部１３Ａの端部がガイド溝部１５Ａの折曲部１５Ｂに当接し、この折曲部１５Ｂにガイドされて突起部１３Ａがガイド溝部１５Ａに当接するため、突起部１３Ａとガイド溝部１５Ａの衝突音を防ぎ、開閉操作時の小音化が図れ、良好な操作が可能な開閉装置を得ることができるものである。
【００４４】
なお、以上の説明では、可動体１３の突起部１３Ａが挿入されたケース１５のガイド溝部１５Ａ外周を、可動筐体１２に装着する構成について説明したが、図５の斜視図に示すように、ケース１７外周に可動筐体１２装着用の突出部１７Ａを設けると共に、これとは違う箇所に切欠状のガイド溝部１７Ｂを設け、このガイド溝部１７Ｂに上端と下端が折曲され、溝内方へ延出する一対の折曲部１７Ｃや通孔部１７Ｄを形成した構成としても、本発明の実施は可能である。
【産業上の利用可能性】
【００４５】
本発明による開閉装置は、小音化が図れ、良好な操作が可能なものを得ることができ、各種電子機器に使用される開閉装置として有用である。
【図面の簡単な説明】
【００４６】
【図１】本発明の一実施の形態による開閉装置の断面図
【図２】同分解斜視図
【図３】同要部斜視図
【図４】同部分平面図
【図５】同他の実施の形態による斜視図
【図６】携帯電話の斜視図
【図７】従来の開閉装置の断面図
【図８】同分解斜視図
【図９】同部分平面図
【符号の説明】
【００４７】
１  固定体
１Ａ  固定部
２  固定カム
２Ａ  突出部
２Ｂ、２Ｃ  傾斜部
６  ばね
７  固定軸
８  止め輪
１１  固定筐体
１１Ａ  操作部
１１Ｂ  音声入力部
１２  可動筐体
１２Ａ  表示部
１２Ｂ  音声出力部
１３  可動体
１３Ａ  突起部
１３Ｂ  傾斜部
１４  可動カム
１５、１７  ケース
１５Ａ、１７Ｂ  ガイド溝部
１５Ｂ、１７Ｃ  折曲部
１５Ｃ、１７Ｄ  通孔部
１７Ａ  突出部
２０  開閉装置
【図１】
2008267470.tif 000003
【図２】
2008267470.tif 000004
【図３】
2008267470.tif 000005
【図４】
2008267470.tif 000006
【図５】
2008267470.tif 000007
【図６】
2008267470.tif 000008
【図７】
2008267470.tif 000009
【図８】
2008267470.tif 000010
【図９】
2008267470.tif 000011